(57)【要約】【課題】      レンタルショップの棚に並べて使用する展示ケースであって、極めて簡単に組み立てることができる展示ケースを提供する。【解決手段】  所定の形状に裁断した透明な合成樹脂板材を折り曲げて上下面が開放するように形成した筒体４と、この筒体の長辺両下縁から連なって互いに上記筒体内に折り返した係止片５とで形成した胴体部Ａと、上面の幅が上記筒体の両長辺縁間の幅よりも小さく、かつ全長が前記長辺縁の全長よりも短くなると共に、先端部が先細り状の頂壁６と、この頂壁の両側縁から下広がりに突出する脚側壁７とで形成した上げ底用支持部材Ｂとからなり、上記の胴体部内の底側に支持部材を嵌入すると共に、上記脚側壁の内側に上記係止片を存在させる。【選択図】図１
2008307355.tif 000002
【特許請求の範囲】
【請求項１】
所定の形状に裁断した透明な合成樹脂板材を折り曲げて上下面が開放するように形成した筒体と、この筒体の長辺両下縁から連なって互いに上記筒体内に折り返した係止片とで形成した胴体部と、上面の幅が上記筒体の両長辺縁間の幅よりも小さく、かつ全長が前記長辺縁の全長よりも短くなると共に、先端部が先細り状の頂壁と、この頂壁の両側縁から下広がりに突出する脚側壁とで形成した上げ底用支持部材とからなり、上記の胴体部内の底側に支持部材を嵌入すると共に、上記脚側壁の内側に上記係止片を存在させたことを特徴とする展示ケース。
【請求項２】
所定の形状に裁断した透明な合成樹脂板材を折り曲げて上下面が開放するように形成した筒体と、この筒体の長辺両下縁の一端側から連なって互いに内方に屈曲すると共に、突出方向端を噛み合い状に係合した閉鎖保形底壁と、上記筒体の上記底壁のない下縁から連なって互いに前記筒体内に折り返した係止片とで形成した胴体部と、上面の幅が上記筒体の両長辺縁間の幅よりも小さく、かつ全長が前記長辺縁の全長よりも短くなると共に、先端部が先細り状の頂壁と、この頂壁の両側縁から下広がりに突出する脚側壁とで形成した上げ底用支持部材とからなり、上記の胴体部内の底側に支持部材を嵌入すると共に、上記脚側壁の内側に上記係止片を存在させたことを特徴とする展示ケース。
【請求項３】
所定の形状に裁断した透明な合成樹脂板材を折り曲げて、形成した筒状の胴体部の上面開口から商品を挿入すると共に、挿入した上記商品の上部を上記胴体部内の底に落し込んである上げ底用支持部材により前記胴体部の上縁に対し上方に突出させ、また上記胴体部の両長辺の上縁から連なる折り込み片を互いに折り込んで前記胴体部内に落し込んであるジャケットシートの表裏表紙の上縁側を抱き込む展示ケースにおいて、上記折り込み片の突出方向縁に折り込み抵抗を軽減する突出度合いの減少カット部を設けたことを特徴とする展示ケース。
【発明の詳細な説明】
【技術分野】
【０００１】  この発明は、レンタルショップの棚に並べて使用する展示ケースに関する。
【背景技術】
【０００２】  ＣＤ、ＤＶＤなどの記録媒体を収納した貸出しケースやマンガその他の雑誌などのレンタル商品をレンタルショップの棚に陳列する場合、ショップ側の展示ケースに収納して並べている。【０００３】  上記の展示ケースは、透明な合成樹脂により上面を開放させて形成してあり、開放する開口から展示ケースに商品を挿入する。【０００４】  その際、挿入した商品の上端（上縁）部を展示ケースの上面（上縁）に対し上方に突出させて、その突出により展示ケースに商品の存在（貸出し可能な状態である旨を知らせる）することを知らせる（実用新案登録公報第２５５９０２７号参照）。【０００５】  そして、展示ケースは、透明な合成樹脂板材の折り曲げにより形成した筒状の胴体部と、この胴体部の下部内に嵌入して嵌入した部分により上げ底にすると共に、胴体部の下縁側に取着した台座との二部品により形成されている（特許文献１）。【０００６】  また他の展示ケースは、透明な合成樹脂板材の折り曲げにより形成した周囲四面の背壁、表壁、裏壁及び後壁からなる筒体と、この筒体の底に取付ける上げ底用の支持部材との二部品により構成されている（特許文献２）。【０００７】
【特許文献１】  特開２００４−２７６９４７号公報
【０００８】
【特許文献２】  特開２００６−２０６８７号公報
【発明の開示】
【発明が解決しようとする課題】
【０００９】  ところで、特許文献１の展示ケースは、胴体部に対する上げ底用の台座を取着している。【００１０】  この取着方式は、胴体部の周囲対向する二面の係止穴に台座の両端のツメを嵌入（係合関係になる）して取付けたり、或いは溶着して取付ける。【００１１】  このような取着方式によると、ツメと係止穴との嵌入にともない係止関係にするため、係止関係に著しく手数がかかり、又溶着にともない別途熱溶着装置を必要とする問題があった。【００１２】  また、特許文献２の展示ケースの筒体の上げ底用支持部材は、筒状部の両側下面と底蓋部の両側上面とで角筒の表壁及び裏壁の下縁から連なって互いに内方に折り曲げた両底壁を狭持して取付け、この取付けにともない筒体の底を閉鎖すると共に、取付けた支持部材の筒状部の筒体内での存在により上げ底とするので、支持部材の取付けに著しく手数がかかり、又支持部材が筒状部と底蓋壁の二部品のため、大幅なコストアップになる問題があった。【００１３】  さらに、特許文献１の胴体部の開放二辺（表面及び背面部の）縁には、挿入ジャケットシートの上縁を抱き込む（抱き込む要因は、雑誌の抜き取りにともない共にジャケットシートが抜け出ないようにする）耳部が設けてあり、又特許文献２の展示ケースの表壁及び裏壁の上縁には、上述のようにジャケットシートの上縁を抱き込む折り込む保持片が設けてある。【００１４】  この耳部及び保持片は、図示のように全長の突出長さが各部均等になる同一長さになっている。【００１５】  すると、耳部や保持片の折り込みに際し一方の手で一端側を把持して折り込みを先行させても中途から他端迄の突出長さが同一のため折り込み方向に容易に屈曲できず抵抗力が発生し、無理矢理に他方の手で折り込むので、スムーズな折り込みができない問題があった。【００１６】  そこで、この発明の上述の問題を解消した展示ケースを提供することにある。
【課題を解決するための手段】
【００１７】  上記の課題を解決するために、この発明は、所定の形状に裁断した透明な合成樹脂板材を折り曲げて上下面が開放するように形成した筒体と、この筒体の長辺両下縁から連なって互いに上記筒体内に折り返した係止片とで形成した胴体部と、上面の幅が上記筒体の両長辺縁間の幅よりも小さく、かつ全長が前記長辺縁の全長よりも短くなると共に、先端部が先細り状の頂壁と、この頂壁の両側縁から下広がりに突出する脚側壁とで形成した上げ底用支持部材とからなり、上記の胴体部内の底側に支持部材を嵌入すると共に、上記脚側壁の内側に上記係止片を存在させた【００１８】  また、所定の形状に裁断した透明な合成樹脂板材を折り曲げて上下面が開放するように形成した筒体と、この筒体の長辺両下縁の一端側から連なって互いに内方に屈曲すると共に、突出方向端を噛み合い状に係合した閉鎖保形底壁と、上記筒体の上記底壁のない下縁から連なって互いに前記筒体内に折り返した係止片とで形成した胴体部と、上面の幅が上記筒体の両長辺縁間の幅よりも小さく、かつ全長が前記長辺縁の全長よりも短くなると共に、上記底壁の反対側先端部が先細り状の頂壁と、この頂壁の両側縁から下広がりに突出する脚側壁とで形成した上げ底用支持部材とからなり、上記の胴体部内の底側に支持部材を嵌入すると共に、上記脚側壁の内側に上記係止片を存在させた構成を採用する。【００１９】  すると、胴体部内に嵌入した上げ底用支持部材は、支持部材の両脚側壁の内側に折り返して存在する係止片の折り返し境部分によって受け止められて、胴体部に対する支持部材の抜け落ちがない。また底壁によって胴体部の変形を阻止して保形する。【００２０】  さらに、所定の形状に裁断した透明な合成樹脂板材を折り曲げて、形成した筒状の胴体部の上面開口から商品を挿入すると共に、挿入した上記商品の上部を上記胴体部内の底に落し込んである上げ底用支持部材により前記胴体部の上縁に対し上方に突出させ、また上記胴体部の両長辺の上縁から連なる折り込み片を互いに折り込んで前記胴体部内に落し込んであるジャケットシートの表裏表紙の上縁側を抱き込む展示ケースにおいて、上記折り込み片の突出方向縁に折り込み抵抗を軽減する突出度合いの減少カット部を設けた構成を採用する。【００２１】  すると、カット部により折り込み片の折り込みがスムーズにできる。
【発明の効果】
【００２２】  以上のように、この発明の展示ケースによれば、胴体部の下部内に嵌入した上げ底用支持部材を、胴体部内に折り返してある係止片を支持部材の両脚側壁の内側に存在させると共に、係止片の折り返し境の部分で脚側壁の下縁を受け止めて脱落を阻止する。【００２３】  このため、手間のかかる胴体部の底の閉鎖作業が不要になると共に、胴体部の底の溶着などによる閉鎖が不要なため、胴体部の扁平な折り畳みができて、箱詰めによる出荷数量を大幅に増大できる以外に嵩低く格納できる効果もある。【００２４】  そして、支持部材の頂壁を先細り状にしてあるので、挿入するジャケットシートの表裏表紙と背表紙との連成境が頂壁の先端に乗り上げて落ち込みを阻害することなくスムーズな落し込みが可能になると共に、頂壁の両側縁間の幅が胴体部の対向壁の幅よりも小さくなっているため、ジャケットシートの表裏表紙の下縁の支持部材の両側外側への落ち込みもスムーズになって突っ張るようなこともない。【００２５】  また、胴体部の底の一端側を保形底壁により閉鎖してあるので、取り扱い時の胴体部の変形による形くずれを防止して、商品の挿入や抜き取り作業がスムーズになると共に、上記の保形底壁を、対向する両壁の下縁から連なって互いに内向きに屈曲して、対向縁を噛み合い状に係合させて閉鎖状態の維持をはかって、熱溶着などの固着がないため、前述のような効果を発揮する胴体部の扁平な折り畳みができる。【００２６】  さらに、胴体部の対向する上縁に連成してあるジャケットシートの表裏表紙の上縁部の抱き込む折り込み片の突出方向縁に折り込み抵抗を軽減する突出度合いの減少カット部を設けてあるので、突出度合いの大きい部分を折り込んで、次いでカット部分を折り込むため、折り込み抵抗が少なくスムーズに折り込むことができる。
【発明を実施するための最良の形態】
【００２７】  以下、この発明の実施形態を添付図面に基づいて説明する。【００２８】  この発明の第１の実施形態では、図１から図５に示すように、Ａは所定の形状に裁断した透明な合成樹脂板材を折り曲げて上面に商品ａの挿入用開口１を有するように形成した胴体部である。【００２９】  上記の胴体部Ａは、１枚の板材により対向する広幅な両側壁２、２及び対向する細幅な端壁３、３とて上面に開口１を有する周囲四面の筒体４を形成し、片方の端壁３を内と外で重なり合って、この重なり合った両端壁３を熱溶着や接着剤などで固着して構成する。【００３０】  また、筒体４の両側壁２、２の下縁（長辺縁）には、筒体４内に折り返した係止片５が設けてある。【００３１】  Ｂは胴体部Ａの下部内に嵌入する上げ底用の支持部材である。【００３２】  上記の支持部材Ｂは、上面の両側縁間の幅が対向する側壁２間の間隔よりも小さく、かつ全長が対向する端壁３間の間隔よりも若干小さくなっていると共に、一方の端壁３の方向に向く先端部が先細り状の頂壁６と、この頂壁６の両側縁から下広がりに（この下広がりの角度は、両下縁が側壁２、２の下縁の内側に納まるようになっている）突出する脚側壁７、７とで構成され、金型を用いた成形製品以外に、図５に示すように合成樹脂性の板材を折れ線により折り曲げて形成することもできる。その際頂壁６の同幅な部分の脚側壁７と頂壁６の先細り部分の脚側壁７との隣接縁を図示のように切り離しておくと、屈曲が容易になる。【００３３】  なお、先細り頂壁６側の脚側壁７の下縁に互いに相反する外方に突出する突壁８を設けて、係止片５により支えるようにしたが、突壁８の有無は限定されない。【００３４】  上記のように構成すると、胴体部Ａの筒体４内に開口１から或いは両係止片５を押し逃がしながら支持部材Ｂを嵌入すると共に、嵌入後に支持部材Ｂを降送して、両側の脚側壁７の内側に折り返してある係止片５を図３に示すように存在させて、両脚側壁７の下縁を係止片５の反転屈曲部分で受け止めるようにしておく。【００３５】  すると、胴体部Ａに対する支持部材Ｂの脱落を防止する。【００３６】  上記支持部材Ｂの使用目的は、図２、３に示すように、開口１から胴体部Ａ内に挿入した商品ａの底面を頂壁６の上面で受け止めた際、商品ａの上部を開口１から上方に突出させて、胴体部Ａに対する商品ａの存在を知らせ、このことによりショップの棚に並べて展示することで、商品ａのレンタルが可能な（販売も）旨を知らせる。【００３７】  上記の商品ａとしては、マンガなどの雑誌やＣＤ、ＤＶＤなどの記録媒体などを収納した貸出しケースなどが考えられる。【００３８】  また、胴体部Ａ内には、商品ａに見合うジャケットシートＣが挿入してある。【００３９】  開口１からジャケットシートＣの挿入にともないジャケットシートＣの背表紙１１と表表紙１２及び裏表紙１３と境の弧状に屈曲した部分が図４に示すように頂壁６の先細り尖端の両側に、そして上述の尖端縁と端壁３との間に背表紙１１がスムーズに落ち込み、表表紙１２及び裏表紙１３の下縁は、幅が両側壁２、２の対向間隔よりも小さい頂壁６の両側にスムーズに落し込みできる。【００４０】  さらに、両側壁２、２の上縁に連なる折り込み片１４を��れぞれ内方に反転させて、図３に示すように表表紙１２と裏表紙１３の内側に折り込んで、折り込み片１４により表表紙１２及び裏表紙１３の上縁部を抱き込んでいるので、商品ａの抜き取りの際ジャケットシートＣが抜き取られるのを阻止する。【００４１】  そして、片方の端壁３の上縁に連なる折り込み片１５を内方に折り込んで背表紙１１の上縁を抱き込むようにしてある。【００４２】  なお、図示のように折り込み片１５に貫窓１６を設けておくと、貫窓１６に指先を引っかけて引きお越しが容易にできる。【００４３】  また、図示のように、折り込み片１４及び係止片５の折れ線１７を図示のように点線状のミシン目としておくと、折り込み抵抗を著しく軽減してスムーズに折り込むことができる。【００４４】  そして、図６、７に示すように折り込み片１５に側壁２の上縁に対し斜めのミシン目１９を入れて（図示の場合、折り込み先行端部のみとしたが、限定されない）おくと、折り込みの際腰折れになって折り込み抵抗を大幅に軽減して、折り込み作業（操作）をスムーズのする。【００４５】  なお、折り返してある係止片５を、例えば脚側壁７に突起と孔との係止や脚側壁７に対し係止片５を両面粘着テープなどで止めておくこともある。【００４６】  また、折り込み片１５の上下縁間の中程に折れ線２０を設けておくと、折り込み時の抵抗を軽減する。【００４７】  この発明の第２の実施形態では、図８から図１４に示すように、第１の実施形態の胴体部Ａの両側壁２、２の下縁（長辺縁）に設けてある係止片５（筒体４内に折り返した）を、下縁の一端から他端の手前までの範囲としてある。【００４８】  そして、両側壁２の係止片５の設けていない下縁には、突出方向端を噛み合い状に係合した閉鎖保形底壁２１、２１が設けてある。【００４９】  上記底壁２１、２１の突出方向端の噛み合い状の係合は、図示の場合、一方の底壁２１の突出方向端の中間部に突片２２を、もう片方の底壁２１の突出方向端の両端部に並列する突片２３、２３をそれぞれ突出させて、一方の突片２２が一方の底壁２１の上面に、他方の両突片２３、２３が他方の底壁２１の上面に重なるように（図９、１１、１２に示すように）噛み合い状に係合させて、両底壁２１による組み立てにともなう閉鎖維持（図９に示す）をはかるもので、突片２２、２３、２３の形状も図示に限定されず、例えば波状など凹凸状にしてある。【００５０】  そして、上述の底壁２１の突出方向端の噛み合い状にする要因は、ショップでの使用にともない閉鎖することで、メーカーから出荷などの際、前述の胴体部Ａを嵩低く折り畳むことにある。【００５１】  上記の胴体部Ａを形成する筒体４の構成は、第１の実施形態と同様につき説明を省略する。【００５２】また、胴体部Ａに上げ底用の支持部材Ｂを嵌入して、嵌入した支持部材Ｂの両脚側壁７の内側係止片５を存在させて、嵌入した支持部材Ｂの脱落を防止するための構成及び作用効果は、第１の実施形態と同様につき説明を省略する。【００５３】  そして、使用する支持部材Ｂの構成及び支持部材Ｂの先端の外側にジャケットシートＣの背表紙１１の下縁を、支持部材Ｂの両側外側にジャケットシートＣの表表紙１２及び裏表紙１３の下縁をそれぞれ落し込む作用は、��１の実施形態と同様につき説明を省略する。【００５４】  またジャケットシートＣの上縁を折り込みにともない抱き込む折り込み片１４、１５、ミシン目にした折れ線１７、ミシン目１９、折れ線２０の構成、作用効果は、第１の実施形態と同様につき説明を省略する。【００５５】  なお、胴体部Ａに嵌入した支持部材Ｂの頂壁６の先細り尖出端を、図示の場合閉鎖底壁２１側に位置させたが、限定されない。【００５６】  上記のように構成すると、筒体４の下面一端側を閉鎖する底壁２１によって、取り扱い時に底壁２１側の下部をつかんでも、底壁２１の突出方向端の係合関係での突っ張りによって保形する。【００５７】  このため、変形を防止する。【００５８】  この発明の第３の実施形態では、図１５から図２０に示すように、第１及び第２の実施形態の折り込み片１４の突出方向縁には、折り込み抵抗を軽減する突出度合いの減少カット部３１が設けてある。【００５９】  なお、胴体部Ａ、支持部材Ｂの構成、係止片５、閉鎖底壁２１、折り込み片１４、ミシン目１７、折れ線２０などは、第１及び第２の実施形態と同様につき説明を省略する。【００６０】  上記のカット部３１は、例えば図１５から図１７に示すように、折り込み開始先行側の突出度合いが大きく、折り込み終了側に突出度合いが小さくなる傾斜させたもの、図１８に示すように図１７の形状の変形（折り込み開示部を極端に大きくしてある）したもの、図１９に示すように、折り込み片１４の突出縁中央から両端に突出度合いが小さくなるもの、図２０に示すように図１９の変形させたものなどがあり、適宜選択すればよい。【００６１】上記のように構成すると、胴体部Ａ内に落し込んであるジャケットシートＣの表表紙１２及び裏表紙１３の上縁部を折り込み片１４の折込によって抱き込むに際し、突出度合いの大きい部分を図２１に示すように先行させて折り込み、次いで残る縁部を折り込む（折込は、商品Ｘの挿入前、挿入後いずれであってもよい）。【００６２】  このとき、次いで折り込む残る部分の折り込みに際し、残る部分の突出度合いが小さくなるように切り落としてあるカット部３１により折り込み抵抗が軽減するため、図２２に示すよう指先をすべり移動させて、極めてスムーズに折り込みすることができる。【００６３】なお、図２３、２４に示すように支持部材Ｂの両脚側壁７、７の下縁両端や、係止片５と底壁２１との間に位置する中途に下方に突出する突部３６を設けて、この各突部３６を端壁３と脚側壁７の端縁との間、脚側壁７と底壁２１との間の間隙３７から下方に突出させて、ショップの棚板Ｙの上面に接地させて、棚板Ｙの上面に対し胴体部Ａの下縁を浮上させることで、胴体部Ａの接地面積を極力減少して、棚板Ｙ上での胴体部Ａのすべりが（抵抗を少なくして）スムーズになる。【００６４】  その際、突部３６の下縁をすべり抵抗減少のためテーパー縁部など（図示省略）にしておくとよい。
【図面の簡単な説明】
【００６５】
【図１】この発明の第１の実施形態を示す分解斜視図
【図２】使用時の縦断側面図
【図３】同縦断正面図
【図４】同横断平面図
【図５】板材を用いて形成する支持部材の展開平面図
【図６】ミシン目加工した胴体部の斜視図
【図７】同上の縦断側面図
【図８】第２の実施形態を示す分解斜視図
【図９】同上の底の部分を示す斜視図
【図１０】底を開いた斜視図
【図１１】使用状態を示す縦断側面図
【図１２】同縦断正面図
【図１３】同横断平面図
【図１４】同上の腰部を示す縦断正面図
【図１５】第３の実施形態を示す斜視図
【図１６】同上の使用状態を示す縦断側面図
【図１７】カット部の例を示す側面図
【図１８】他のカット部の例を示す側面図
【図１９】他のカット部の例を示す側面図
【図２０】他のカット部の例を示す側面図
【図２１】折り込み片の折り込みを示す斜視図
【図２２】同折り込みを示す斜視図
【図２３】突部付の支持部材を示す斜視図
【図２４】同上の使用を示す縦断側面図
【符号の説明】
【００６６】Ａ              胴体部
Ｂ              支持部材
Ｃ              ジャケットシート
Ｘ              商品
１              開口
２              側壁
３              端壁
４              筒体
５              係止片
６              頂壁
７              脚側壁
８              突壁
１１            背表紙
１２            表表紙
１３            裏表紙
１４、１５      折り込み片
１６            貫窓
１７、２０      折れ線
１９            ミシン目
２１            底壁
２２、２３      突片
３１            カット部
【図１】
2008307355.tif 000003
【図２】
2008307355.tif 000004
【図３】
2008307355.tif 000005
【図４】
2008307355.tif 000006
【図５】
2008307355.tif 000007
【図６】
2008307355.tif 000008
【図７】
2008307355.tif 000009
【図８】
2008307355.tif 000010
【図９】
2008307355.tif 000011
【図１０】
2008307355.tif 000012
【図１１】
2008307355.tif 000013
【図１２】
2008307355.tif 000014
【図１３】
2008307355.tif 000015
【図１４】
2008307355.tif 000016
【図１５】
2008307355.tif 000017
【図１６】
2008307355.tif 000018
【図１７】
2008307355.tif 000019
【図１８】
2008307355.tif 000020
【図１９】
2008307355.tif 000021
【図２０】
2008307355.tif 000022
【図２１】
2008307355.tif 000023
【図２２】
2008307355.tif 000024
【図２３】
2008307355.tif 000025
【図２４】
2008307355.tif 000026